(57)【要約】【課題】空気清浄化などの換気と冷暖房や調湿などの空調とを同時に管理制御して行える換気空調システムを提供する。【解決手段】建物１の床下空間４に換気空調装置３が設置されており、換気空調装置３は、下流側の冷暖房機能及び除湿機能を有する空調装置としてのエアコンディショナの屋内機３Ａと、上流側の気液接触型の空気清浄装置としてのエアワッシャー３Ｂとが通気可能に接続されて成り、換気空調装置３には、エアワッシャー３Ｂ側に、建物１の基礎側壁コンクリート１ｃに設けられた外気吸入口１１とダクト８１を介して連通する外気吸込部３１Ａが設けられ、エアコンディショナの屋内機３Ａ側に床下用吹出部３３が設けられており、建物１の床部１ａに床上空間５と床下空間４とを連通させる給気口９が設けられているとともに、床下空間４には、調湿材１７が敷設された構成とされている。【選択図】図１
2011112239.tif 000002
【特許請求の範囲】
【請求項１】
建物の床下空間に換気空調装置が設置されており、
前記換気空調装置は、下流側の少なくとも暖房機能及び除湿機能を有する空調装置と、上流側の気液接触型の空気清浄装置とが通気可能に接続されて成り、
前記換気空調装置には、前記気液接触型の空気清浄装置側に、前記建物の外側面に面して設けられた外気吸入口と連通する外気吸込部が設けられ、前記空調装置側に床下用吹出部が設けられており、
前記建物の床上空間に面して前記床下空間と連通する給気口が設けられているとともに、
前記床下空間には、調湿材が設けられていることを特徴とする換気空調システム。
【請求項２】
前記外気吸入口と前記外気吸込部との間が、ダクトを介して接続されていることを特徴とする請求項１に記載の換気空調システム。
【請求項３】
前記床上空間に面して、排気口が設けられており、前記換気空調装置の前記気液接触型の空気清浄装置側に、前記排気口と連通する内気吸込部が設けられており、前記排気口を通じて、前記床上空間の空気を吸込可能とされているとともに、前記建物の外側面に面して設けられた内気吐出口が前記床上空間と連通しており、該内気吐出口を通じて、前記床上空間の空気の一部を前記建物の外部に吐出可能とされていることを特徴とする請求項１又は２に記載の換気空調システム。
【請求項４】
前記排気口と前記内気吸込部との間が、ダクトを介して接続されているとともに、前記排気口と前記内気吐出口との間も、ダクトを介して接続されていることを特徴とする請求項３に記載の換気空調システム。
【請求項５】
前記外気吸入口から吸入される空気量と、前記内気吐出口から吐出される前記床上空間の空気量とは、略同一とされるとともに、この換気用の空気量は、前記床上空間を循環する空調用の空気量よりも小さいことを特徴とする請求項３又は４に記載の換気空調システム。
【請求項６】
前記換気空調装置の前記空調装置側に、前記床上空間に面して設けられた前記給気口とは別の給気口と連通する床上用吹出部が設けられていることを特徴とする請求項１乃至５のいずれか１項に記載の換気空調システム。
【請求項７】
前記別の給気口と前記床上用吹出部との間が、ダクトを介して接続されていることを特徴とする請求項６に記載の換気空調システム。
【請求項８】
前記換気空調装置の前記床上用吹出部からの空調された空気の吹き出しと、前記床下用吹出部からの空調された空気の吹き出しとを、それぞれ独立して制御可能とされていることを特徴とする請求項６又は７に記載の換気空調システム。
【請求項９】
前記換気空調装置の前記空調装置は、ヒートポンプ式のエアコンディショナの屋内機であり、屋外に設置された屋外機と接続されていることを特徴とする請求項１乃至８のいずれか１項に記載の換気空調システム。
【請求項１０】
前記床下空間は、前記建物の床と基礎底盤コンクリートと基礎側壁コンクリートとに囲まれているとともに、前記基礎側壁コンクリートには基礎断熱材が取り付けられていることを特徴とする請求項１乃至９のいずれか１項に記載の換気空調システム。
【請求項１１】
請求項１乃至１０のいずれか１項に記載の換気空調システムを備えていることを特徴とする建物。
【発明の詳細な説明】
【技術分野】
【０００１】
本発明は、建物の換気空調システム及びこの換気空調システムを備えた建物に関するものである。
【背景技術】
【０００２】
従来から、建物の床上空間における換気と空調とを同時に行える換気空調システムが知られている（例えば、特許文献１等を参照）。
【０００３】
また、建物の床上空間における空調を行うにあたり、気液接触型の空気清浄装置（エアワッシャー）を用いて空気を清浄化する空調システムも知られている（例えば、特許文献２等を参照）。
【先行技術文献】
【特許文献】
【０００４】
【特許文献１】特開２００９−１８６１２８号公報
【特許文献２】特開２００５−２１１７４１号公報
【発明の概要】
【発明が解決しようとする課題】
【０００５】
しかしながら、特許文献１のような従来の換気空調システムでは、床上空間内の湿度の管理制御は行えるものの、冷暖房を同時に管理制御して行えるものではなかった。
【０００６】
また、特許文献２のような空調システムでは、床上空間内の冷房と空気清浄化とを同時に管理制御して行えるものの、換気までは同時に管理制御して行えるものではなかった。
【０００７】
そこで、本発明は、空気清浄化などの換気と冷暖房や調湿などの空調とを同時に管理制御して行える換気空調システム及びこの換気空調システムを備えた建物を提供することを目的としている。
【課題を解決するための手段】
【０００８】
前記目的を達成するために、本発明の換気空調システムは、建物の床下空間に換気空調装置が設置されており、前記換気空調装置は、下流側の少なくとも暖房機能及び除湿機能を有する空調装置と、上流側の気液接触型の空気清浄装置とが通気可能に接続されて成り、前記換気空調装置には、前記気液接触型の空気清浄装置側に、前記建物の外側面に面して設けられた外気吸入口と連通する外気吸込部が設けられ、前記空調装置側に床下用吹出部が設けられており、前記建物の床上空間に面して前記床下空間と連通する給気口が設けられているとともに、前記床下空間には、調湿材が設けられていることを特徴とする。
【０００９】
ここで、前記外気吸入口と前記外気吸込部との間が、ダクトを介して接続されているとよい。
【００１０】
また、前記床上空間に面して、排気口が設けられており、前記換気空調装置の前記気液接触型の空気清浄装置側に、前記排気口と連通する内気吸込部が設けられており、前記排気口を通じて、前記床上空間の空気を吸込可能とされているとともに、前記建物の外側面に面して設けられた内気吐出口が前記床上空間と連通しており、該内気吐出口を通じて、前記床上空間の空気の一部を前記建物の外部に吐出可能とされているとよい。
【００１１】
さらに、前記排気口と前記内気吸込部との間が、ダクトを介して接続されているとともに、前記排気口と前記内気吐出口との間も、ダクトを介して接続されているとよい。
【００１２】
また、前記外気吸入口から吸入される空気量と、前記内気吐出口から吐出される前記床上空間の空気量とは、略同一とされるとともに、この換気用の空気量は、前記床上空間を循環する空調用の空気量よりも小さいとよい。
【００１３】
ここで、前記換気空調装置の前記空調装置側に、前記床上空間に面して設けられた前記給気口とは別の給気口と連通する床上用吹出部が設けられていてもよい。
【００１４】
また、前記別の給気口と前記床上用吹出部との間が、ダクトを介して接続されているとよい。
【００１５】
さらに、前記換気空調装置の前記床上用吹出部からの空調された空気の吹き出しと、前記床下用吹出部からの空調された空気の吹き出しとを、それぞれ独立して制御可能とされているとよい。
【００１６】
また、前記換気空調装置の前記空調装置は、ヒートポンプ式のエアコンディショナの屋内機であり、屋外に設置された屋外機と接続されているとよい。
【００１７】
さらに、前記床下空間は、前記建物の床と基礎底盤コンクリートと基礎側壁コンクリートとに囲まれているとともに、前記基礎側壁コンクリートには基礎断熱材が取り付けられているとよい。
【００１８】
本発明の建物は、上記した換気空調システムを備えていることを特徴とする。
【発明の効果】
【００１９】
このような本発明の換気空調システムは、建物の床下空間に換気空調装置が設置されており、換気空調装置は、下流側の少なくとも暖房機能及び除湿機能を有する空調装置と、上流側の気液接触型の空気清浄装置とが通気可能に接続されて成る。
【００２０】
そして、換気空調装置には、気液接触型の空気清浄装置側に、建物の外側面に面して設けられた外気吸入口と連通する外気吸込部が設けられ、空調装置側に床下用吹出部が設けられており、建物の床上空間に面して床下空間と連通する給気口が設けられているとともに、床下空間には、調湿材が設けられた構成とされている。
【００２１】
こうした構成なので、空気清浄化などの換気と床下暖房や調湿などの空調とを同時に管理制御して行える。
【００２２】
なお、この床下暖房とは、床下用吹出部から暖気を吹き出し、床下空間を暖めることで、床を介して熱が伝達し、床上空間を均一にムラなく暖めるとともに頭寒足熱の快適な環境にすることができる暖房である。
【００２３】
また、床下空間に調湿材が設けられているため、気液接触型の空気清浄装置を通過した湿度の高い空気を、空調装置の除湿機能にあまり頼らずに調湿することができる。
【００２４】
そのうえ、気液接触型の空気清浄装置がフィルターのかわりとなり、しかもフィルター交換の必要がないため、略メンテナンスフリーとなる。
【００２５】
ここで、外気吸入口と外気吸込部との間が、ダクトを介して接続されている場合は、外気吸入口と外気吸込部との間を、簡易な構造で連通させることができる。
【００２６】
また、床上空間に面して、排気口が設けられており、換気空調装置の気液接触型の空気清浄装置側に、排気口と連通する内気吸込部が設けられており、排気口を通じて、床上空間の空気を吸込可能とされているとともに、建物の外側面に面して設けられた内気吐出口が床上空間と連通しており、内気吐出口を通じて、床上空間の空気の一部を建物の外部に吐出可能とされている場合は、換気ルートと空調ルートとが明確となるので、空気清浄化などの換気と床下暖房や調湿などの空調とを効率的に同時に管理制御して行える。
【００２７】
さらに、排気口と内気吸込部との間が、ダクトを介して接続されているとともに、排気口と内気吐出口との間も、ダクトを介して接続されている場合は、排気口と内気吸込部との間、及び排気口と内気吐出口との間を、簡易な構造で連通させることができる。
【００２８】
また、外気吸入口から吸入される空気量と、内気吐出口から吐出される床上空間の空気量とは、略同一とされるとともに、この換気用の空気量は、床上空間を循環する空調用の空気量よりも小さい場合は、換気による熱損失が小さいので、空気清浄化などの換気と床下暖房や調湿などの空調とをより効率的に同時に管理制御して行える。
【００２９】
ここで、換気空調装置の空調装置側に、床上空間に面して設けられた給気口とは別の給気口と連通する床上用吹出部が設けられている場合は、床上用吹出部から吹き出された暖気又は冷気が、別の給気口から床上空間へ吹き出し、床上空間を即座に暖めたり、冷やしたりする、即効性を有する、冷暖房や調湿などの空調と空気清浄化などの換気を行うこともできる。
【００３０】
また、別の給気口と床上用吹出部との間が、ダクトを介して接続されている場合は、別の給気口と床上用吹出部との間を、簡易な構造で連通させることができる。
【００３１】
さらに、換気空調装置の床上用吹出部からの空調された空気の吹き出しと、床下用吹出部からの空調された空気の吹き出しとを、それぞれ独立して制御可能とされている場合は、床上用吹出部からの即効性を有する冷暖房や空気清浄化と、床下用吹出部からの床下暖房や空調装置の除湿機能になるべく頼らない空気清浄化とを簡易に切替制御することができる。
【００３２】
また、換気空調装置の空調装置は、ヒートポンプ式のエアコンディショナの屋内機であり、屋外に設置された屋外機と接続されている場合は、ヒートポンプを用いるため、省エネルギー性能に優れたものとすることができる。
【００３３】
さらに、床下空間は、建物の床と基礎底盤コンクリートと基礎側壁コンクリートとに囲まれているとともに、基礎側壁コンクリートには基礎断熱材が取り付けられている場合は、床下空間を断熱構造とするため、床下空間内の暖気の熱を屋外に極力漏らすことなく、エネルギー効率のよい床下暖房を行える。
【００３４】
このような本発明の建物は、本発明の換気空調システムを備えた構成とされているので、上記した効果を奏する建物とすることができる。
【図面の簡単な説明】
【００３５】
【図１】実施例１の換気空調システムを備えた建物の概略構成を説明する説明図である。
【図２】実施例１の換気空調システムにおいて、即効性を有する暖房、冷房、又は空気清浄化を行った状態を示す説明図である。
【図３】実施例１の換気空調システムにおいて、床下暖房を行った状態を示す説明図である。
【図４】実施例１の換気空調システムにおいて、即効性を有する暖房及び床下暖房の両方を行った状態を示す説明図である。
【図５】実施例１の換気空調システムにおいて、空調装置の除湿機能になるべく頼らない空気清浄化を行った状態を示す説明図である。
【図６】実施例２の換気空調システムを備えた建物の概略構成を説明する説明図である。
【発明を実施するための形態】
【００３６】
以下、本発明を実施するための形態を、図面に示す実施例１，２に基づいて説明する。
【実施例１】
【００３７】
先ず、実施例１について説明する。
【００３８】
図１は、実施例１の換気空調システムを備えた建物１の概略構成を示している。
【００３９】
まず、このような建物１は、基礎断熱として構築された基礎底盤コンクリート１ｂと、その側縁に立設された基礎側壁コンクリート１ｃと、さらにその上に立設された外壁部１ｄと、その外壁部１ｄの上端開口を塞ぐ天井部１ｅとから主に構成されている。
【００４０】
そして、この天井部１ｅと外壁部１ｄとに囲まれる空間は、床としての床部１ａによって床下空間４と居室などの床上空間５とが区切られている。この床部１ａは、特に床下空間４側からの床下暖房を考慮して、床下空間４と床上空間５との間の熱の伝達を許容し、断熱材が貼り付けられていない構成となっている。
【００４１】
また、基礎側壁コンクリート１ｃの床下空間４側には、グラスウールなどの基礎断熱材１０が貼り付けられており、床下空間４内の暖気の熱が屋外に極力漏れない断熱構造となっている。
【００４２】
さらに、床下空間４には、調湿材１７が敷設されている。
【００４３】
そして、実施例１の換気空調システムは、この調湿材１７が敷設された床下空間４に換気空調装置３が設置されている。
【００４４】
この換気空調装置３は、下流側の冷暖房機能及び除湿機能を有する空調装置としてのエアコンディショナの屋内機３Ａと、上流側の気液接触型の空気清浄機としてのエアワッシャー３Ｂとが通気可能に接続された構成である。
【００４５】
ここで、この空調装置としてのエアコンディショナの屋内機３Ａは、ヒートポンプ式であり、建物１の屋外に設置された屋外機２と接続されている。
【００４６】
また、エアコンディショナの屋内機３Ａの内部には、屋外機２に繋がっている熱媒循環管路２１が接続されている。
【００４７】
さらに、このエアコンディショナの屋内機３Ａには、除湿機能を有するものが用いられており、床下空間４から屋外へ貫通する排水用のドレイン１２が設けられている。
【００４８】
また、このエアコンディショナの屋内機３Ａは、床上用吹出部３２と床下用吹出部３３とを有している。
【００４９】
さらに、このエアコンディショナの屋内機３Ａには、床上用吹出部３２及び床下用吹出部３３から空気を様々な強さで吹き出させることが可能なファン（図示せず）が内蔵されている。
【００５０】
また、床上用吹出部３２と床下用吹出部３３とには、電動ダンパーなどから成る開閉弁３２ａ，３３ａがそれぞれ設けられている。
【００５１】
ここで、気液接触型の空気清浄機としてのエアワッシャー３Ｂは、外気吸込部３１Ａと、内気吸込部３１Ｂとを有している。
【００５２】
また、床部１ａには、グリル付きの排気口６と２種類の給気口７，９とが設けられている。
【００５３】
ここで、給気口９は、ダクトを介さず、床下空間４と直接連通しており、別の給気口７は、ダクト８２によりエアコンディショナの屋内機３Ａの床上用吹出部３２と接続されている。
【００５４】
また、エアワッシャー３Ｂの外気吸込部３１Ａは、ダクト８１により、基礎側壁コンクリート１ｃに設けられた外気吸入口１１と接続されている。
【００５５】
ここで、ダクト８１内には、吸入用ファン１６が設けられている。
【００５６】
さらに、エアワッシャー３Ｂの内気吸込部３１Ｂは、ダクト８３により、排気口６と接続されている。
【００５７】
そして、ダクト８３は、ダクト８４により、基礎側壁コンクリート１ｃに設けられた内気吐出口１４と接続されている。
【００５８】
ここで、ダクト８４内には、吐出用ファン１５が設けられている。
【００５９】
なお、空調用の空気量よりも換気用の空気量を小さくするために、ダクト８１，８４には、ダクト８２，８３よりも内径の小さいものが用いられている。
【００６０】
また、床上空間５には、所望の運転パターンに設定するためのコントローラ１３が設けられている。
【００６１】
次に、実施例１の換気空調システムの運転パターンについて説明する。
【００６２】
まず、暖房運転時のパターンについて説明する。
【００６３】
床上空間５を、即効性を有する暖房のみで暖めたいときは、換気空調装置３の床上用吹出部３２の開閉弁３２ａを開状態とし、床下用吹出部３３の開閉弁３３ａは閉状態とする。
【００６４】
そして、換気空調装置３を稼動させると、図２に示したように、床上空間５のみで暖気が対流して、床上空間５が即座に暖まる。
【００６５】
床上空間５を、床下暖房のみで暖めたいときは、換気空調装置３の床上用吹出部３２の開閉弁３２ａを閉状態とし、床下用吹出部３３の開閉弁３３ａは開状態とする。
【００６６】
そして、換気空調装置３を稼動させると、図３に示したように、床下空間４が即座に暖められ、その熱が主に床部１ａを介して床上空間５へ伝達され、床上空間５が均一にムラなく暖まる。
【００６７】
冬場の厳寒期などに、床上空間５を、即効性を有する暖房及び床下暖房の両者で暖めたいときは、換気空調装置３の床上用吹出部３２の開閉弁３２ａを開状態とし、床下用吹出部３３の開閉弁３３ａも開状態とする。
【００６８】
そして、換気空調装置３を稼動させると、図４に示したように、床上空間５のみで対流する暖気と、主に床部１ａを介して床上空間５へ伝達され、床上空間５を均一にムラなく暖める熱とで、床上空間５が即座に且つ均一にムラなく暖まる。
【００６９】
なお、いずれの暖房運転の際も、エアワッシャー３Ｂを空気が通過するために、床上空間５内の空気が加湿される。
【００７０】
また、図３及び図４に示した床下暖房を行う暖房運転の際は、床下用吹出部３３から吹き出された暖気が、調湿材１７と接触することにより、適度な湿度に調湿される。
【００７１】
ここで、湿気を帯びた調湿材１７は、換気空調装置３の運転停止持に、冬場の乾燥した空気により、自然に乾燥された状態となる。
【００７２】
次に、冷房運転時のパターンについて説明する。
【００７３】
床上空間５を冷房で冷やしたいときは、換気空調装置３の床上用吹出部３２の開閉弁３２ａを開状態とし、床下用吹出部３３の開閉弁３３ａは閉状態とする。
【００７４】
そして、換気空調装置３を稼動させると、図２に示したように、床上空間５のみで冷気が対流して、床上空間５が即座に冷やされる。
【００７５】
なお、この冷房運転時の際には、エアワッシャー３Ｂを空気が通過するために、エアコンディショナの屋内機３Ａの除湿機能で除湿する。
【００７６】
次に、空気清浄化運転時のパターンについて説明する。
【００７７】
床上空間５を即座に空気清浄化したいときは、換気空調装置３の床上用吹出部３２の開閉弁３２ａを開状態とし、床下用吹出部３３の開閉弁３３ａは閉状態とする。
【００７８】
そして、換気空調装置３を稼動させると、図２に示したように、床上空間５のみで空気が対流して、床上空間５の空気が即座に清浄化される。
【００７９】
なお、この即効性を有する空気清浄化運転時の際には、エアワッシャー３Ｂを空気が通過するために、湿度の高い夏場などであれば、エアコンディショナの屋内機３Ａの除湿機能で除湿し、湿度の低い冬場などであれば、除湿機能を停止して、加湿すればよい。
【００８０】
床上空間５を空調装置３Ａになるべく頼らないで空気清浄化したいときは、換気空調装置３の床上用吹出部３２の開閉弁３２ａを閉状態とし、床下用吹出部３３の開閉弁３３ａは開状態とする。
【００８１】
そして、換気空調装置３を稼動させると、図５に示したように、まず、調湿材１７が敷設された床下空間４を通ってから床上空間５で空気が対流して、床上空間５の空気が清浄化される。
【００８２】
なお、この空調装置３Ａになるべく頼らない空気清浄化運転時の際には、エアワッシャー３Ｂを空気が通過するために、湿度の高い夏場などであれば、日中は、調湿材１７により空気を除湿し、涼しくなった深夜などの換気空調装置３の運転停止時に、湿気を帯びた調湿材１７を、比較的安価な深夜電力を用いてエアコンディショナの屋内機３Ａの除湿機能で除湿し、乾燥した状態とすればよい。また、湿度の低い冬場などであれば、エアコンディショナの屋内機３Ａの除湿機能を停止して、加湿すればよい。
【００８３】
ここで、いずれの運転時の際も、吸入用ファン１６を回して外気吸入口１１から吸入される空気量は、約１５０ｍ３／ｈとし、吐出用ファン１５を回して内気吐出口１４から吐出される空気量は、略同一の約１５０ｍ３／ｈとした。
【００８４】
また、床上空間５を循環する空気量、すなわち、排気口６から吸い込まれる空気量は、約６５０ｍ３／ｈとした。
【００８５】
要するに、換気用の空気量を空調用の空気量よりも小さくすることにより、熱損失を小さくした。
【００８６】
但し、これらの数値は、床上空間５の広さなどの関係から適宜変化するものである。
【００８７】
次に、実施例１の作用効果について説明する。
【００８８】
このような実施例１の換気空調システムは、建物１の床下空間４に換気空調装置３が設置されており、換気空調装置３は、下流側の冷暖房機能及び除湿機能を有する空調装置としてのエアコンディショナの屋内機３Ａと、上流側の気液接触型の空気清浄装置としてのエアワッシャー３Ｂとが通気可能に接続されて成る。
【００８９】
そして、換気空調装置３には、エアワッシャー３Ｂ側に、建物１の基礎側壁コンクリート１ｃに設けられた外気吸入口１１とダクト８１を介して連通する外気吸込部３１Ａが設けられ、エアコンディショナの屋内機３Ａ側に床下用吹出部３３が設けられており、建物１の床部１ａに床上空間５と床下空間４とを連通させる給気口９が設けられているとともに、床下空間４には、調湿材１７が敷設された構成とされている。
【００９０】
こうした構成なので、空気清浄化などの換気と冷暖房や調湿などの空調とを同時に管理制御して行える。
【００９１】
また、床下空間４に調湿材１７が設けられているため、エアワッシャー３Ｂを通過した湿度の高い空気を、エアコンディショナの屋内機３Ａの除湿機能にあまり頼らずに調湿することができる。
【００９２】
そのうえ、気液接触型の空気清浄装置としてのエアワッシャー３Ｂがフィルターのかわりとなり、しかもフィルター交換の必要がないため、略メンテナンスフリーとなる。
【００９３】
ここで、床部１ａに排気口６が設けられており、換気空調装置３のエアワッシャー３Ｂ側に、排気口６とダクト８３を介して連通する内気吸込部３１Ｂが設けられており、排気口６を通じて、床上空間５の空気を吸込可能とされているとともに、建物１の基礎側壁コンクリート１ｃに設けられた内気吐出口１４がダクト８４を介してダクト８３と連通しており、内気吐出口１４を通じて、床上空間５の空気の一部を建物の外部に吐出可能とされている。
【００９４】
このため、換気ルートと空調ルートとが明確となるので、空気清浄化などの換気と冷暖房や調湿などの空調とを効率的に同時に管理制御して行える。
【００９５】
また、外気吸入口１１から吸入される空気量と、内気吐出口１４から吐出される床上空間５の空気量とは、略同一とされるとともに、この換気用の空気量は、床上空間５を循環する空調用の空気量よりも小さくされている。
【００９６】
このため、換気による熱損失が小さいので、空気清浄化などの換気と冷暖房や調湿などの空調とをより効率的に同時に管理制御して行える。
【００９７】
さらに、換気空調装置３のエアコンディショナの屋内機３Ａ側に、床部１ａに設けられた給気口９とは別の給気口７とダクト８２を介して連通する床上用吹出部３２が設けられている。
【００９８】
このため、床上用吹出部３２から吹き出された暖気又は冷気が、別の給気口７から床上空間５へ吹き出し、床上空間５を即座に暖めたり、冷やしたりする、即効性を有する冷暖房や調湿などの空調と空気清浄化などの換気を行うこともできる。
【００９９】
また、換気空調装置３のエアコンディショナの屋内機３Ａ側の床上用吹出部３２と床下用吹出部３３とには、開閉弁３２ａ，３３ａがそれぞれ設けられており、床上用吹出部３２からの空調された空気の吹き出しと、床下用吹出部３３からの空調された空気の吹き出しとを、それぞれ独立して制御可能とされている。
【０１００】
このため、開閉弁３２ａ，３３ａの開閉により、床上用吹出部３２からの即効性を有する冷暖房や空気清浄化と、床下用吹出部３３からの床下暖房やエアコンディショナの屋内機３Ａの除湿機能になるべく頼らない空気清浄化とを簡易に切替制御することができる。
【０１０１】
さらに、換気空調装置３のエアコンディショナの屋内機３Ａは、ヒートポンプ式であり、屋外に設置された屋外機２に接続されている。
【０１０２】
このため、ヒートポンプを用いるので、省エネルギー性能に優れたものとすることができる。
【０１０３】
また、床下空間４は、建物１の床としての床部１ａと基礎底盤コンクリート１ｂと基礎側壁コンクリート１ｃとに囲まれているとともに、基礎側壁コンクリート１ｃには基礎断熱材１０が取り付けられている。
【０１０４】
このため、床下空間４が断熱構造とされ、床下空間４内の暖気の熱を屋外に極力漏らすことなく、エネルギー効率のよい床下暖房を行える。
【０１０５】
このような実施例１の建物１は、実施例１の換気空調システムを備えた構成とされているので、上記した作用効果を奏する建物とすることができる。
【０１０６】
そのうえ、換気空調装置３などが、床下空間４に設置されているので、床上空間５は、これらに占用されず、有効に利用することができるうえに、意匠的外観が良い。
【実施例２】
【０１０７】
次に、実施例２について説明する。
【０１０８】
なお、実施例１で説明した内容と同一乃至均等な部分の説明については同一符号を付して説明する。
【０１０９】
図６は、実施例２の換気空調システムを備えた建物１Ａの概略構成を示している。
【０１１０】
この実施例２の建物１Ａでは、床部１ａに別の給気口７が設けられておらず、換気空調装置３０のエアコンディショナの屋内機３Ａ側に床上用吹出部３２が設けられておらず、ダクト８２及び床下用吹出部３３の開閉弁３３ａも設けられていないことが実施例１の建物１と主に異なる。
【０１１１】
このため、床上空間５が即効性を有する冷暖房及び空調を必要としないときに好適であり、換気空調装置３０の構造を簡略化することができる。
【０１１２】
また、別の給気口７を設けないで済むため、床上空間５の意匠的外観を向上させることができる。
【０１１３】
なお、他の構成及び作用効果については、実施例１と略同様であるので説明を省略する。
【０１１４】
以上、図面を参照して、本発明を実施するための形態を実施例１，２に基づいて詳述してきたが、具体的な構成は、これらの実施例１，２に限らず、本発明の要旨を逸脱しない程度の設計的変更は、本発明に含まれる。
【０１１５】
例えば、実施例１，２では、本発明の換気空調システムの説明を簡単に行えるように、建物１，１Ａの構造などを単純化したが、これに限定されない。
【０１１６】
すなわち、３階以上の階から成る複数の部屋を有する建物において、各部屋に対して、本発明の換気空調システムを適用するようにして実施してもよい。
【０１１７】
また、実施例１，２では、換気空調装置３，３０を床下空間４に１台のみ設置して実施したが、これに限定されず、必要に応じ、複数台設置し実施してもよい。
【０１１８】
さらに、実施例１，２では、排気口６，別の給気口７，及びダクトを介さない給気口９などを床部１ａに設けて実施したが、これに限定されず、これらを床上空間５の内壁などに設けて実施してもよい。
【符号の説明】
【０１１９】
１      建物
１Ａ    建物
１ａ    床部（床）
１ｂ    基礎底盤コンクリート
１ｃ    基礎側壁コンクリート（建物の外周の基礎）
１ｄ    外壁部
１ｅ    天井部
２      エアコンディショナの屋外機
２１    熱媒循環管路
３      換気空調装置
３０    換気空調装置
３Ａ    エアコンディショナの屋内機（空調装置）
３Ｂ    エアワッシャー（気液接触型の空気清浄装置）
３１Ａ  外気吸込部
３１Ｂ  内気吸込部
３２    床上用吹出部
３３    床下用吹出部
３２ａ  開閉弁
３３ａ  開閉弁
４      床下空間
５      床上空間
６      排気口
７      別の給気口
８１    ダクト
８２    ダクト
８３    ダクト
８４    ダクト
９      給気口
１０    基礎断熱材
１１    外気吸入口
１２    ドレイン
１３    コントローラ
１４    内気吐出口
１５    吐出用ファン
１６    吸入用ファン
１７    調湿材
【図１】
2011112239.tif 000003
【図２】
2011112239.tif 000004
【図３】
2011112239.tif 000005
【図４】
2011112239.tif 000006
【図５】
2011112239.tif 000007
【図６】
2011112239.tif 000008